(57)【要約】      （修正有）【課題】手提げ部分の有無に関係なく複数のゴミ袋を簡単に取り付け可能であって、ゴミ袋の開口部も広げた状態で保持することができるゴミ分別棚を提供する。【解決手段】ゴミ分別棚２は、一対の脚柱４と、その間に架設された複数の桟部８と、桟部８から前方に突出する複数の掛止保持部１２と、その下方に配置される複数の棚部２０と、を備えている。掛止保持部１２は、桟部に一端が固定された掛止部１４と、掛止部１４に外嵌する保持部１６とから構成されている。ゴミ袋は、開口部付近等を掛止部１４に引っ掛け、その上に保持部１６を外嵌させることで、取り付けられる。このときに、ゴミ袋は、その開口部が開いた状態で取り付けられる。【選択図】図１
0003141898.tif 000002
【実用新案登録請求の範囲】
【請求項１】
相対する一対の脚柱と、
該脚柱間に架設された複数の桟部と、
該桟部から前方に突出する複数の掛止保持部と、
前記脚柱間に架設されると共に前記掛止保持部の下方に配置される複数の棚部と、
を備え、
前記掛止保持部は、前記桟部に一端が固定された棒状の掛止部と該掛止部に外嵌する保持部とからなり、前記掛止部にゴミ袋の一部を掛けると共に前記掛止部に前記保持部を外嵌させて前記掛止部と保持部との間に前記ゴミ袋の一部を挟み込むことで複数の前記掛止保持部に前記ゴミ袋をそれぞれ取り付けることを特徴とするゴミ分別棚。
【請求項２】
前記保持部はその一端付近が前記掛止部に軸着され、回動することにより前記掛止部に嵌脱することを特徴とする請求項１記載のゴミ分別棚。
【請求項３】
前記掛止部は略角柱状又は略円柱状をなし、前記保持部は前記掛止部の外形に適合し且つ前記掛止部を上方から覆う形状をなすことを特徴とする請求項１記載のゴミ分別棚。
【請求項４】
前記保持部は弾性を有することを特徴とする請求項１記載のゴミ分別棚。
【考案の詳細な説明】
【技術分野】
【０００１】
本考案は、ゴミを分別して整頓し易くすることができるゴミ分別棚に関するものである。
【背景技術】
【０００２】
従前より、ゴミを可燃物と不燃物に分別することが各自治体の指導下において行われていたが、近年、リサイクルの促進等により更に細かくゴミを分別することが進められている。ところが、ゴミを分別してそれぞれゴミ袋に収めて並べておくには多くのスペースが必要になる。そこで、ゴミ袋を上下に並べることができるゴミ吊り下げ棚やラックが提案されていた。
【０００３】
上記ゴミ吊り下げ棚は、支柱となるパイプにフックを設けてゴミ袋を吊り下げると共に、落下防止用の棚を設けることで、ゴミ袋を上下２段に吊り下げ可能としたものであった（例えば、特許文献１参照）。また、上記ラックは、縦長の筐体を仕切板で上下に４区分に分けると共に、仕切られた各スペース内にフックを設けてゴミ袋を引っ掛け、前方に設けた扉の小窓からゴミを投入するものであった（例えば、特許文献２参照）。
【特許文献１】実開平６−４８４３５号公報
【特許文献２】実用新案登録第３０９２２１１号公報
【考案の開示】
【考案が解決しようとする課題】
【０００４】
上記従来のゴミ吊り下げ棚やラックにおいては、フックにゴミ袋を取り下げるものであるため、レジ袋のように手提げ部分が設けられたゴミ袋を使用しなければならなかった。
【０００５】
また、手提げ部分が設けられたゴミ袋をフックに吊り下げると、ゴミ袋の開口部を大きく広げることができず、ゴミを入れる度に開口部を広げなければならなかった。
【０００６】
本考案が解決しようとする課題は、上記従来技術の問題点を解決し、手提げ部分の有無に関係なく複数のゴミ袋を簡単に取り付け可能であって、ゴミ袋の開口部も広げた状態で保持することができるゴミ分別棚を提供することにある。
【課題を解決するための手段】
【０００７】
本考案のゴミ分別棚は、相対する一対の脚柱と、該脚柱間に架設された複数の桟部と、該桟部から前方に突出する複数の掛止保持部と、前記脚柱間に架設されると共に前記掛止保持部の下方に配置される複数の棚部と、を備え、前記掛止保持部は、前記桟部に一端が固定された棒状の掛止部と該掛止部に外嵌する保持部とからなり、前記掛止部にゴミ袋の一部を掛けると共に前記掛止部に前記保持部を外嵌させて前記掛止部と保持部との間に前記ゴミ袋の一部を挟み込むことで複数の前記掛止保持部に前記ゴミ袋をそれぞれ取り付けてなるものである。
【０００８】
また、本考案のゴミ分別棚における前記保持部は、その一端付近が前記掛止部に軸着され、回動することにより前記掛止部に嵌脱するものとなっている。
【０００９】
また、本考案のゴミ分別棚における前記掛止部は、略角柱状又は略円柱状をなし、前記保持部は前記掛止部の外形に適合し且つ前記掛止部を上方から覆う形状をなすものとなっている。また、前記保持部は弾性を有している。
【考案の効果】
【００１０】
本考案のゴミ分別棚における掛止保持部は、脚柱間に架設された桟部から前方に突出し、桟部に一端が固定された棒状の掛止部とこの掛止部に外嵌する保持部とから構成されている。このため、手提げ部が設けられたゴミ袋であれば、前方に突出する棒状の掛止保持部に簡単に引っ掛けて取り付けることができる。また、手提げ部の有無に関係なくゴミ袋の開口部付近を棒状の掛止部に載せ、そこに保持部を外嵌させてゴミ袋を挟み込むことにより簡単にゴミ袋を取り付けることができる。更に、ゴミ袋の開口部付近の２ヵ所を２本の掛止保持部にそれぞれ広げながら掛止することにより、開口部を広げた状態で保持することができ、ゴミを入れ易くすることができる。
【００１１】
また、本考案における保持部の一端付近を掛止部に軸着して回動するように構成しているので、保持部を回動させるだけで簡単に嵌脱することができる。
【００１２】
また、保持部は掛止部に適合し、その弾性で掛止部に外嵌するものとなっている。このため、掛止部に保持部を被せるだけで簡単にゴミ袋の開口部付近を挟み込んで保持することができる。特に、掛止保持部に吊り下げられたゴミ袋の下方には棚部が設けられているので、ゴミ袋を取り外す際にゴミ袋が落下することを防ぐことができる。また、この棚部にゴミ袋が載るように位置付ければ、ゴミ袋を棚部で支えることができる。従って、掛止部に保持部を強固に外嵌させてゴミ袋を強く挟持しなくてもゴミ袋が外れることはなく、比較的嵌脱し易い状態で保持部を掛止部に外嵌させることができる。
【考案を実施するための最良の形態】
【００１３】
本考案のゴミ分別棚は、一対の脚柱と、その間に架設された複数の桟部と、この桟部から前方に突出する複数の掛止保持部と、その下方に配置される複数の棚部と、を備えている。また、掛止保持部は、桟部に一端が固定された棒状の掛止部と、この掛止部に外嵌する保持部とから構成されている。このゴミ分別棚においては、ゴミ袋の手提げ部あるいは開口部付近を掛止部に引っ掛け、その上に被せるように保持部を外嵌させることで、ゴミ袋を取り付ける。このときに、ゴミ袋を２本の掛止保持部に架け渡すと共に、掛止保持部に沿ってゴミ袋を広げるように取り付ける。これにより、ゴミ袋は、その開口部が開いた状態で取り付けられることになる。
【実施例】
【００１４】
図１は本考案の一実施例に係るゴミ分別棚の斜視図、図２は図１に示すゴミ分別棚の縦断面図、図３は図１に示すゴミ分別棚の部分拡大斜視図、図４は図３に示す掛止保持部の動作を示す斜視図である。図１及び図２において、符号２は本実施例のゴミ分別棚であり、その左右側方には相対する一対の脚柱４が設けられている。本実施例における脚柱４は、正面側及び背面側にそれぞれ設けられた柱部４ａ，４ｂと、その上端に架け渡された連結部４ｃとからなり、高さ方向に細長い下向きコ字形状をなすものである。柱部４ａ，４ｂの下端には、ネジ込みされ且つ回転させることで高さの微調整が可能な足部６が取り付けられている。
【００１５】
符号８は脚柱４の間に架設された桟部である。この桟部８は脚柱４の背面側の柱部４ｂ間に所定の間隔をもって２ヵ所に架設されている。尚、本実施例においては、補強のため柱部４ｂの上端間に補強用桟部１０を設けている。
【００１６】
符号１２は桟部８に取り付けられた掛止保持部である。この掛止保持部１２は、図３及び図４に示されるように、桟部８に一端が固定された棒状の掛止部１４と、この掛止部１４に外嵌する保持部１６とから構成されている。掛止部１４は角柱状をなし、背面側の一端が桟部８に固定されて他端が真直ぐ正面方向を向くと共に、それぞれ平行になるように桟部８に沿って複数設けられている。この掛止部１４は、ゴミ袋の手提げ部あるいは開口部付近を広げて掛止するように使用するものであり、図１に示したように、２本１組でゴミ袋の大きさに適した所定間隔で並ぶように設置されている。保持部１６は、所定の弾性を有し、掛止部１４の外形に適合するように略下向きコ字形状をなし、掛止部１４を上方から覆うように掛止部１４に外嵌する。本実施例における保持部１６には、その背面方向の端部両側面部分が長手方向に延伸された取付部１６ａが設けられている。この取付部１６ａは、その間に掛止部１４を挟み、掛止部１４と共にボルト等の軸１８が貫通することで掛止部１４に回動自在に軸着されている。
【００１７】
符号２０は棚部であり、掛止保持部１２の下方に設けられている。本実施例における棚部２０は、各脚柱４の柱部４ａ，４ｂ間、２本の脚柱４の柱部４ａ間及び柱部４ｂ間にそれぞれ架け渡されて固定された枠部２０ａと、この枠部２０ａ内に張った状態に張設されたネット部２０ｂとから構成されている。この棚部２０は、掛止保持部１２の下方にゴミ袋が入る間隔をあけて配置されており、本実施例では上下に２段設けられている掛止保持部１２にそれぞれ対応して上下に２段設けられている。
【００１８】
上記脚柱４及び棚部２０の枠部２０ａは共に断面がＬ形状をなすアルミ等の金属製棒材で形成されている。また、桟部８及び掛止部１４は内部が空洞のアルミ等の金属製角材により形成されている。
【００１９】
上記構成からなるゴミ分別棚２は、次のようにゴミ袋を取り付けてゴミを分別整理するものとなっている。はじめに、図３に示す掛止保持部１２の保持部１６を軸１８を中心にして回転させ、図４に示すように掛止部１４から外して開いた状態にする。この状態のときに、図５に示すように、ゴミ袋２２の開口部２２ａの周縁の一部あるいは周縁に設けられた一方の手提げ部あるいは開口部２２ａを塞ぐときに結ぶ一方の延伸部２２ｂを、掛止部１４の上にその長さ方向に広げるように載せる。次に、図６に示すように保持部１６を回転させて掛止部１４に被せて外嵌する。このときにゴミ袋２２の延伸部２２ｂは掛止部１４と保持部１６との間に挟まれて掛止保持部１２に掛止した状態で保持される。また、ゴミ袋２２を広げながら他方の延伸部２２ｂ等を、同様に他の掛止保持部１２に取り付けると、ゴミ袋２２は図７に示す状態になる。このゴミ袋２２は、所定間隔で設けられた２本の掛止保持部１２にそれぞれ掛止されると共に、その掛止保持部１２の長手方向にも広げて保持されているので、その開口部２２ａが大きく開口した状態となっている。上記のように各一対の掛止保持部１２にそれぞれゴミ袋２２を掛止することで、複数のゴミ袋２２を上下２段に整然と並べることができる。因みにこの実施例では上下にそれぞれ４個ずつ、合計８個のゴミ袋２２を配置することができる。即ち、８種類のゴミ及び有価物に分別することができる。
【００２０】
上記のようにゴミ分別棚２に取り付けられたゴミ袋２２にゴミを入れた後、ゴミ分別棚２から取り外す場合、掛止保持部１２の保持部１６を回転させて掛止部１４から外す。このときに延伸部２２ｂが掛止部１４から外れてゴミ袋２２が落下する状態になっても、その下に棚部２０が設けられているため、ゴミ袋２２は落下することなく棚部２０の上に載り、簡単に延伸部２２ｂや開口部２２ａ周縁を結んで開口部２２ａを塞ぐことができる。また、棚部２０にゴミ袋２２が載るようにゴミ袋２２を取り付けると、ゴミの重さが全て掛止保持部１２にかかることがなくなり、ゴミ袋２２が掛止保持部１２からゴミの重さで外れることを防ぐことができる。
【００２１】
上記掛止保持部１２は、角柱状の掛止部１４とそれに適合する下向きコ字形の保持部１６を用いているが、図８に示すように、掛止部１４を円柱状に形成し、保持部１６をこれに適合する下向きＣ字形に形成しても良い。
【００２２】
また、図９に示すように、掛止部１４に保持部１６を軸着せずに、保持部１６を着脱自在に構成することもできる。このように構成することで、部品点数及び組立工数を削減し、コストダウンを図ることができる。
【図面の簡単な説明】
【００２３】
【図１】本考案の一実施例に係るゴミ分別棚の斜視図である。
【図２】図１に示すゴミ分別棚の縦断面図である。
【図３】図１に示すゴミ分別棚の部分拡大斜視図である。
【図４】図３に示す掛止保持部の動作を示す斜視図である。
【図５】ゴミ袋を取り付けるときの掛止保持部の状態を示す正面図である。
【図６】ゴミ袋を取り付けるときの掛止保持部の状態を示す正面図である。
【図７】掛止保持部にゴミ袋を取り付けた状態を示すゴミ袋周辺の正面図である。
【図８】図３に示す掛止保持部の一部変更例を示す斜視図である。
【図９】図３に示す掛止保持部の他の一部変更例を示す斜視図である。
【符号の説明】
【００２４】
２      ゴミ分別棚
４      脚柱
４ａ，４ｂ  柱部
４ｃ    連結部
６      足部
８      桟部
１０    補強用桟部
１２    掛止保持部
１４    掛止部
１６    保持部
１６ａ  取付部
１８    軸
２０    棚部
２０ａ  枠部
２０ｂ  ネット部
２２    ゴミ袋
２２ａ  開口部
２２ｂ  延伸部
【図１】
0003141898.tif 000003
【図２】
0003141898.tif 000004
【図３】
0003141898.tif 000005
【図４】
0003141898.tif 000006
【図５】
0003141898.tif 000007
【図６】
0003141898.tif 000008
【図７】
0003141898.tif 000009
【図８】
0003141898.tif 000010
【図９】
0003141898.tif 000011